【手続補正書】
【提出日】平成30年10月12日(2018.10.12)
【手続補正１】
【補正対象書類名】特許請求の範囲
【補正対象項目名】全文
【補正方法】変更
【補正の内容】
【特許請求の範囲】
【請求項１】
少なくとも１種の式［Ｚ１ＯＺ２ＯＳｉＣＨ２］３（Ｉ）
［式中、各Ｚ１およびＺ２は、独立して、水素原子、Ｃ１〜Ｃ４アルキル基、または別のモノマーのケイ素原子への結合を表す］
の独立モノマーおよび少なくとも１種の他の三価金属酸化物モノマーのポリマーである、オルガノシリカ材料。
【請求項２】
各Ｚ１およびＺ２が、独立して、水素原子、Ｃ１〜Ｃ２アルキル基、または別のモノマーのケイ素原子への結合を表す、請求項１に記載のオルガノシリカ材料。
【請求項３】
各Ｚ１およびＺ２が、独立して、水素原子、エチル、または別のモノマーのケイ素原子への結合を表す、請求項１または２に記載のオルガノシリカ材料。
【請求項４】
前記少なくとも１種の他の三価金属酸化物モノマーが、
（ｉ）式Ｍ１（ＯＺ３）３（ＩＩ）
［式中、Ｍ１は、第１３族金属を表し、各Ｚ３は、独立して、水素原子、Ｃ１〜Ｃ６アルキル、または別のモノマーのケイ素原子への結合を表す］
の独立単位、または
（ｉｉ）式（Ｚ４Ｏ）２Ｍ２−Ｏ−Ｓｉ（ＯＺ５）３（ＩＩＩ）
［式中、Ｍ２は、第１３族金属を表し、各Ｚ４および各Ｚ５は、独立して、水素原子、Ｃ１〜Ｃ６アルキル基、または別のモノマーのケイ素原子への結合を表す］
の独立単位
である、請求項１〜３のいずれか１項に記載のメソポーラスオルガノシリカ材料。
【請求項５】
少なくとも１種の式（ＩＩ）
［式中、Ｍ１は、ＡｌまたはＢであり、各Ｚ３は、独立して、水素原子、Ｃ１〜Ｃ４アルキル基、またはケイ素原子もしくは別のモノマーへの結合を表す］
の単位が存在する、請求項４に記載のオルガノシリカ材料。
【請求項６】
少なくとも１種の式（ＩＩＩ）
［式中、Ｍ２は、ＡｌまたはＢであり、各Ｚ４および各Ｚ５は、独立して、水素原子、Ｃ１〜Ｃ４アルキル基、または別のモノマーのケイ素原子への結合を表す］
の単位が存在する、請求項４または５に記載のオルガノシリカ材料。
【請求項７】
（ｉ）式［Ｚ６ＯＺ７ＳｉＣＨ２］３（ＩＶ）
［式中、各Ｚ６は、水素原子、Ｃ１〜Ｃ４アルキル基、または別のモノマーのケイ素原子への結合を表し、各Ｚ７は、ヒドロキシル基、Ｃ１〜Ｃ６アルキル基、または別のモノマーのケイ素原子に結合した酸素原子を表す］
の独立単位、
（ｉｉ）式Ｚ８ＯＺ９Ｚ１０Ｚ１１Ｓｉ（Ｖ）
［式中、各Ｚ８は、水素原子またはＣ１〜Ｃ４アルキル基、または別のモノマーのケイ素原子への結合を表し、Ｚ９、Ｚ１０およびＺ１１は、それぞれ独立して、ヒドロキシル基、Ｃ１〜Ｃ４アルキル基、Ｃ１〜Ｃ４アルコキシ基、窒素含有Ｃ１〜Ｃ１０アルキル基、窒素含有ヘテロアラルキル基、窒素を含有していて任意に置換されたヘテロシクロアルキル基、および別のモノマーのケイ素原子に結合した酸素原子からなる群から選択される］
の独立単位、
（ｉｉｉ）式Ｚ１２Ｚ１３Ｚ１４Ｓｉ−Ｒ−ＳｉＺ１２Ｚ１３Ｚ１４（ＶＩ）
［式中、各Ｚ１２は、独立して、ヒドロキシル基、Ｃ１〜Ｃ４アルコキシ基、または別のコモノマーのケイ素原子に結合した酸素原子を表し、各Ｚ１３およびＺ１４は、独立して、ヒドロキシル基、Ｃ１〜Ｃ４アルコキシ基、Ｃ１〜Ｃ４アルキル基、または別のモノマーのケイ素原子に結合した酸素を表し、Ｒは、Ｃ１〜Ｃ８アルキレン基、Ｃ２〜Ｃ８アルケニレン基、Ｃ２〜Ｃ８アルキニレン基、窒素含有Ｃ２〜Ｃ１０アルキレン基、任意に置換されたＣ６〜Ｃ２０アラルキル、および任意に置換されたＣ４〜Ｃ２０ヘテロシクロアルキル基からなる群から選択される］
の独立単位、および
（ｉｖ）それらの組合せ
からなる群から選択されるモノマーをさらに含む、請求項１〜６のいずれか１項に記載のオルガノシリカ材料。
【請求項８】
約１．５ｎｍ〜約２０．０ｎｍの平均細孔径を有する、請求項１〜７のいずれか１項に記載のオルガノシリカ材料。
【請求項９】
約２００ｍ２／ｇ〜約２５００ｍ２／ｇの全表面積を有する、請求項１〜８のいずれか１項に記載のオルガノシリカ材料。
【請求項１０】
約０．１ｃｍ３／ｇ〜約５．０ｃｍ３／ｇの細孔体積を有する、請求項１〜９のいずれか１項に記載のオルガノシリカ材料。
【請求項１１】
前記材料の前記細孔内に組み込まれた少なくとも１種の触媒金属をさらに含む、請求項１〜１０のいずれか１項に記載のオルガノシリカ材料。
【請求項１２】
前記触媒金属が、第６族元素、第８族元素、第９族元素、第１０族元素およびそれらの組合せからなる群から選択される、請求項１１に記載のオルガノシリカ材料。
【請求項１３】
構造指向剤またはポロゲンを本質的に使用せずに製造される、請求項１〜１２のいずれか１項に記載のオルガノシリカ材料。
【請求項１４】
ａ）芳香族含有量が低下した反応生成物を製造するために有効な芳香族水素化条件下で操作される反応段階において、水素含有処理気体の存在下、芳香族を含む炭化水素供給流を水素化触媒と接触させることを含み、
前記水素化触媒が、請求項１２に記載のオルガノシリカ材料を含む、炭化水素供給流の芳香族水素化方法。
【請求項１５】
式（ＩＩ）のＭ１がＡｌである、請求項１４に記載の芳香族水素化方法。
【請求項１６】
式（ＩＩＩ）のＭ２がＡｌである、請求項１４に記載の芳香族水素化方法。
【請求項１７】
前記オルガノシリカ材料が、約１００ｍ２／ｇ〜約１３００ｍ２／ｇの全表面積を有する、請求項１４に記載の芳香族水素化方法。
【請求項１８】
前記少なくとも１種の触媒材料が、白金、パラジウム、ニッケルおよびそれらの組合せからなる群から選択される、請求項１７に記載の芳香族水素化方法。
【請求項１９】
前記少なくとも１種の触媒材料が、活性材料および不活性材料、合成または天然由来ゼオライト、無機材料、クレー、アルミナ、シリカ、シリカ−アルミナ、チタニア、ジルコニア、酸化セリウム、酸化マグネシウム、酸化ニオブ、酸化タンタル、活性炭、セラミックスおよびそれらの組合せからなる群から選択される結合剤材料をさらに含む、請求項１８に記載の芳香族水素化方法。
【手続補正２】
【補正対象書類名】明細書
【補正対象項目名】０４４８
【補正方法】変更
【補正の内容】
【０４４８】
実施例８−ＣＯ２等温線
図２１に示される通り、ＣＯ２吸着等温線は、試料１Ａ、比較試料２および試料５において測定した。試料１Ａは、比較試料２と比較して、同様のＣＯ２吸収を有した。
本明細書の開示内容は、以下の態様を含み得る。
（態様１）
少なくとも１種の式［Ｚ１ＯＺ２ＯＳｉＣＨ２］３（Ｉ）
［式中、各Ｚ１およびＺ２は、独立して、水素原子、Ｃ１〜Ｃ４アルキル基、または別のモノマーのケイ素原子への結合を表す］
の独立モノマーおよび少なくとも１種の他の三価金属酸化物モノマーのポリマーである、オルガノシリカ材料。
（態様２）
各Ｚ１およびＺ２が、独立して、水素原子、Ｃ１〜Ｃ２アルキル基、または別のモノマーのケイ素原子への結合を表す、態様１に記載のオルガノシリカ材料。
（態様３）
各Ｚ１およびＺ２が、独立して、水素原子、エチル、または別のモノマーのケイ素原子への結合を表す、態様１または２に記載のオルガノシリカ材料。
（態様４）
前記少なくとも１種の他の三価金属酸化物モノマーが、
（ｉ）式Ｍ１（ＯＺ３）３（ＩＩ）
［式中、Ｍ１は、第１３族金属を表し、各Ｚ３は、独立して、水素原子、Ｃ１〜Ｃ６アルキル、または別のモノマーのケイ素原子への結合を表す］
の独立単位、または
（ｉｉ）式（Ｚ４Ｏ）２Ｍ２−Ｏ−Ｓｉ（ＯＺ５）３（ＩＩＩ）
［式中、Ｍ２は、第１３族金属を表し、各Ｚ４および各Ｚ５は、独立して、水素原子、Ｃ１〜Ｃ６アルキル基、または別のモノマーのケイ素原子への結合を表す］
の独立単位
である、態様１〜３のいずれか１項に記載のメソポーラスオルガノシリカ材料。
（態様５）
少なくとも１種の式（ＩＩ）
［式中、Ｍ１は、ＡｌまたはＢであり、各Ｚ３は、独立して、水素原子、Ｃ１〜Ｃ４アルキル基、またはケイ素原子もしくは別のモノマーへの結合を表す］
の単位が存在する、態様４に記載のオルガノシリカ材料。
（態様６）
少なくとも１種の式（ＩＩＩ）
［式中、Ｍ２は、ＡｌまたはＢであり、各Ｚ４および各Ｚ５は、独立して、水素原子、Ｃ１〜Ｃ４アルキル基、または別のモノマーのケイ素原子への結合を表す］
の単位が存在する、態様４または５に記載のオルガノシリカ材料。
（態様７）
（ｉ）式［Ｚ６ＯＺ７ＳｉＣＨ２］３（ＩＶ）
［式中、各Ｚ６は、水素原子、Ｃ１〜Ｃ４アルキル基、または別のモノマーのケイ素原子への結合を表し、各Ｚ７は、ヒドロキシル基、Ｃ１〜Ｃ６アルキル基、または別のモノマーのケイ素原子に結合した酸素原子を表す］
の独立単位、
（ｉｉ）式Ｚ８ＯＺ９Ｚ１０Ｚ１１Ｓｉ（Ｖ）
［式中、各Ｚ８は、水素原子またはＣ１〜Ｃ４アルキル基、または別のモノマーのケイ素原子への結合を表し、Ｚ９、Ｚ１０およびＺ１１は、それぞれ独立して、ヒドロキシル基、Ｃ１〜Ｃ４アルキル基、Ｃ１〜Ｃ４アルコキシ基、窒素含有Ｃ１〜Ｃ１０アルキル基、窒素含有ヘテロアラルキル基、窒素を含有していて任意に置換されたヘテロシクロアルキル基、および別のモノマーのケイ素原子に結合した酸素原子からなる群から選択される］
の独立単位、
（ｉｉｉ）式Ｚ１２Ｚ１３Ｚ１４Ｓｉ−Ｒ−ＳｉＺ１２Ｚ１３Ｚ１４（ＶＩ）
［式中、各Ｚ１２は、独立して、ヒドロキシル基、Ｃ１〜Ｃ４アルコキシ基、または別のコモノマーのケイ素原子に結合した酸素原子を表し、各Ｚ１３およびＺ１４は、独立して、ヒドロキシル基、Ｃ１〜Ｃ４アルコキシ基、Ｃ１〜Ｃ４アルキル基、または別のモノマーのケイ素原子に結合した酸素を表し、Ｒは、Ｃ１〜Ｃ８アルキレン基、Ｃ２〜Ｃ８アルケニレン基、Ｃ２〜Ｃ８アルキニレン基、窒素含有Ｃ２〜Ｃ１０アルキレン基、任意に置換されたＣ６〜Ｃ２０アラルキル、および任意に置換されたＣ４〜Ｃ２０ヘテロシクロアルキル基からなる群から選択される］
の独立単位、および
（ｉｖ）それらの組合せ
からなる群から選択されるモノマーをさらに含む、態様１〜６のいずれか１項に記載のオルガノシリカ材料。
（態様８）
約１．５ｎｍ〜約２０．０ｎｍの平均細孔径を有する、態様１〜７のいずれか１項に記載のオルガノシリカ材料。
（態様９）
約２００ｍ２／ｇ〜約２５００ｍ２／ｇの全表面積を有する、態様１〜８のいずれか１項に記載のオルガノシリカ材料。
（態様１０）
約０．１ｃｍ３／ｇ〜約５．０ｃｍ３／ｇの細孔体積を有する、態様１〜９のいずれか１項に記載のオルガノシリカ材料。
（態様１１）
前記材料の前記細孔内に組み込まれた少なくとも１種の触媒金属をさらに含む、態様１〜１０のいずれか１項に記載のオルガノシリカ材料。
（態様１２）
前記触媒金属が、第６族元素、第８族元素、第９族元素、第１０族元素およびそれらの組合せからなる群から選択される、態様１１に記載のオルガノシリカ材料。
（態様１３）
構造指向剤またはポロゲンを本質的に使用せずに製造される、態様１〜１２のいずれか１項に記載のオルガノシリカ材料。